【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
注文者から委託を受けた価格が変動する商品の売買注文を取引市場に発注するための売買注文処理システムであって、
前記売買注文の執行について前記注文者から指定された注文条件を含む前記売買注文の注文内容を、前記売買注文の識別情報と関連付けて格納する注文内容格納手段と、
前記売買注文を発注するために前記注文者から指定された発注条件を、前記売買注文の識別情報と関連付けて、発注トリガとして格納する発注トリガ格納手段と、
前記注文条件及び前記発注トリガに含まれる未確定の変数を確定するための確定条件を、前記売買注文の識別情報と関連付けて、確定トリガとして格納する確定トリガ格納手段と、
前記商品の時価に関する情報を格納する時価格納装置において変化するデータが、前記確定トリガ格納手段に格納された前記確定トリガに合致するかを監視する確定トリガ監視手段と、
前記確定トリガ監視手段において前記確定トリガの合致を検出すると、前記識別情報をキーに前記注文内容格納手段に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納手段に格納された前記確定トリガに対応する発注トリガを特定し、前記発注トリガに含まれる未確定の変数を確定した数値に更新する発注トリガの更新を実行する条件更新手段と、
前記時価格納装置において変化するデータが、前記発注トリガ格納手段に格納された発注トリガに合致するかを監視する発注トリガ監視手段と、
前記発注トリガ監視手段において前記発注トリガの合致を検出すると、前記識別情報をキーに前記注文内容格納手段に格納された前記発注トリガに対応する注文内容を特定し、前記注文内容に含まれる注文条件に従った注文の執行指示を、前記商品にかかる取引市場システムに送信する注文執行手段と、
を備えていて、
前記注文条件には指値注文の指値が、未確定の変数として前記売買注文の対象銘柄の前記取引市場における始値を基準に「始値＋ｘ」又は「始値−ｘ」（ｘは前記売買注文において指定可能な正数）と指定されていて、
前記発注トリガには前記売買注文の対象銘柄の指定価格が、未確定の変数として前記始値を基準に「始値＋ｙ」又は「始値−ｙ」（ｙは前記売買注文において指定可能な正数）と指定されていて、
前記確定トリガには前記始値が設定されており、
前記確定トリガ監視手段は、前記時価格納装置において前記始値を監視し、
前記条件更新手段は、前記始値が確定すると前記時価格納装置から前記始値を取得して、前記指値及び前記指定価格を、前記始値を基準にした価格に更新すること
を特徴とする売買注文処理システム。
【請求項２】
注文者から委託を受けた価格が変動する商品の売買注文を取引市場に発注するための売買注文処理システムであって、
前記売買注文の執行について前記注文者から指定された注文条件を含む前記売買注文の注文内容を、前記売買注文の識別情報と関連付けて格納する注文内容格納手段と、
前記売買注文を発注するために前記注文者から指定された発注条件を、前記売買注文の識別情報と関連付けて、発注トリガとして格納する発注トリガ格納手段と、
前記注文条件及び前記発注トリガに含まれる未確定の変数を確定するための確定条件を、前記売買注文の識別情報と関連付けて、確定トリガとして格納する確定トリガ格納手段と、
前記商品の時価に関する情報を格納する時価格納装置において変化するデータが、前記確定トリガ格納手段に格納された前記確定トリガに合致するかを監視する確定トリガ監視手段と、
前記確定トリガ監視手段において前記確定トリガの合致を検出すると、前記識別情報をキーに前記注文内容格納手段に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納手段に格納された前記確定トリガに対応する発注トリガを特定し、前記発注トリガに含まれる未確定の変数を確定した数値に更新する発注トリガの更新を実行する条件更新手段と、
前記時価格納装置において変化するデータが、前記発注トリガ格納手段に格納された発注トリガに合致するかを監視する発注トリガ監視手段と、
前記発注トリガ監視手段において前記発注トリガの合致を検出すると、前記識別情報をキーに前記注文内容格納手段に格納された前記発注トリガに対応する注文内容を特定し、前記注文内容に含まれる注文条件に従った注文の執行指示を、前記商品にかかる取引市場システムに送信する注文執行手段と、
を備えていて、
前記注文条件には指値注文の指値が、未確定の変数として前記売買注文の対象銘柄の前記取引市場における終値を基準に「終値＋ｘ」又は「終値−ｘ」（ｘは前記売買注文において指定可能な正数）と指定されていて、
前記発注トリガには前記売買注文の対象銘柄の指定価格が、未確定の変数として前記終値を基準に「終値＋ｙ」又は「終値−ｙ」（ｙは前記売買注文において指定可能な正数）と指定されていて、
前記確定トリガには前記終値が設定されており、
前記確定トリガ監視手段は、前記時価格納装置において前記終値を監視し、
前記条件更新手段は、前記終値が確定すると前記時価格納装置から前記終値を取得して、前記指値及び前記指定価格を、前記終値を基準にした価格に更新すること
を特徴とする売買注文処理システム。
【請求項３】
注文者から委託を受けた価格が変動する商品の売買注文を取引市場に発注するための売買注文処理システムであって、
前記売買注文の執行について前記注文者から指定された注文条件を含む前記売買注文の注文内容を、前記売買注文の識別情報と関連付けて格納する注文内容格納手段と、
前記売買注文を発注するために前記注文者から指定された発注条件を、前記売買注文の識別情報と関連付けて、発注トリガとして格納する発注トリガ格納手段と、
前記注文条件及び前記発注トリガに含まれる未確定の変数を確定するための確定条件を、前記売買注文の識別情報と関連付けて、確定トリガとして格納する確定トリガ格納手段と、
前記注文者の発注した売買注文の約定状況に関する取引情報を格納する取引情報格納装置において変化するデータが、前記確定トリガ格納手段に格納された前記確定トリガに合致するかを監視する確定トリガ監視手段と、
前記確定トリガ監視手段において前記確定トリガの合致を検出すると、前記識別情報をキーに前記注文内容格納手段に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納手段に格納された前記確定トリガに対応する発注トリガを特定し、前記発注トリガに含まれる未確定の変数を確定した数値に更新する発注トリガの更新を実行する条件更新手段と、
前記取引情報格納装置において変化するデータが、前記発注トリガ格納手段に格納された発注トリガに合致するかを監視する発注トリガ監視手段と、
前記発注トリガ監視手段において前記発注トリガの合致を検出すると、前記識別情報をキーに前記注文内容格納手段に格納された前記発注トリガに対応する注文内容を特定し、前記注文内容に含まれる注文条件に従った注文の執行指示を、前記商品にかかる取引市場システムに送信する注文執行手段と、
を備えていて、
前記注文条件には指値注文の指値が、未確定の変数として前記注文者からの第二の売買注文の約定価格を基準に「約定価格＋ｘ」又は「約定価格−ｘ」（ｘは前記売買注文において指定可能な正数）と指定されていて、
前記発注トリガには前記売買注文の対象銘柄の指定価格が、未確定の変数として前記約定価格を基準に「約定価格＋ｙ」又は「約定価格−ｙ」（ｙは前記売買注文において指定可能な正数）と指定されていて、
前記確定トリガには前記第二の売買注文の約定が設定されており、
前記確定トリガ監視手段は、前記取引情報格納装置において前記第二の売買注文の約定状況を監視し、
前記条件更新手段は、前記第二の売買注文が約定すると前記取引情報格納装置から前記第二の売買注文の約定価格に関する情報を取得して、前記指値及び前記指定価格を、前記約定価格を基準にした価格に更新すること
を特徴とする売買注文処理システム。
【請求項４】
注文者から委託を受けた価格が変動する商品の売買注文を売買注文処理システムによって取引市場に発注する売買注文の処理方法であって、
前記売買注文処理システムが、前記注文者の操作する端末装置から、前記売買注文の執行について前記注文者から指定された注文条件を含む前記売買注文の注文内容を受け付けて、前記売買注文の識別情報と関連付けて注文内容格納部に格納するステップと、
前記売買注文処理システムが、前記売買注文を発注するために前記注文者から指定された発注条件を、前記売買注文の識別情報と関連付けて、発注トリガとして発注トリガ格納部に格納するステップと、
前記売買注文処理システムが、前記注文条件及び前記発注トリガに含まれる未確定の変数を確定するための確定条件を、前記売買注文の識別情報と関連付けて、確定トリガとして確定トリガ格納部に格納するステップと、
前記売買注文処理システムが、前記商品の時価に関する情報を格納する時価格納装置において変化するデータが、前記確定トリガ格納部に格納された前記確定トリガに合致するかを監視するステップと、
前記売買注文処理システムが、前記確定トリガに合致するかを監視するステップにおいて前記確定トリガの合致を検出すると、前記識別情報をキーに前記注文内容格納部に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納部に格納された前記確定トリガに対応する発注トリガを特定し、前記発注トリガに含まれる未確定の変数を確定した数値に更新する発注トリガの更新を実行するステップと、
前記売買注文処理システムが、前記時価格納装置において変化するデータが、前記発注トリガ格納部に格納された発注トリガに合致するかを監視するステップと、
前記売買注文処理システムが、前記発注トリガに合致するかを監視するステップにおいて前記発注トリガの合致を検出すると、前記識別情報をキーに前記注文内容格納部に格納された前記発注トリガに対応する注文内容を特定し、前記注文内容に含まれる注文条件に従った注文の執行指示を、前記商品にかかる取引市場システムに送信するステップと、
を有していて、
前記注文条件には指値注文の指値が、未確定の変数として前記売買注文の対象銘柄の前記取引市場における始値を基準に「始値＋ｘ」又は「始値−ｘ」（ｘは前記売買注文において指定可能な正数）と指定されていて、
前記発注トリガには前記売買注文の対象銘柄の指定価格が、未確定の変数として前記始値を基準に「始値＋ｙ」又は「始値−ｙ」（ｙは前記売買注文において指定可能な正数）と指定されていて、
前記確定トリガには前記始値が設定されており、
前記確定トリガを監視するステップでは、前記売買注文処理システムは前記時価格納装置において前記始値を監視し、
前記更新を実行するステップでは、前記売買注文処理システムは前記始値が確定すると前記時価格納装置から前記始値を取得して、前記指値及び前記指定価格を、前記始値を基準にした価格に更新すること
を特徴とする売買注文の処理方法。
【請求項５】
注文者から委託を受けた価格が変動する商品の売買注文を売買注文処理システムによって取引市場に発注する売買注文の処理方法であって、
前記売買注文処理システムが、前記注文者の操作する端末装置から、前記売買注文の執行について前記注文者から指定された注文条件を含む前記売買注文の注文内容を受け付けて、前記売買注文の識別情報と関連付けて注文内容格納部に格納するステップと、
前記売買注文処理システムが、前記売買注文を発注するために前記注文者から指定された発注条件を、前記売買注文の識別情報と関連付けて、発注トリガとして発注トリガ格納部に格納するステップと、
前記売買注文処理システムが、前記注文条件及び前記発注トリガに含まれる未確定の変数を確定するための確定条件を、前記売買注文の識別情報と関連付けて、確定トリガとして確定トリガ格納部に格納するステップと、
前記売買注文処理システムが、前記商品の時価に関する情報を格納する時価格納装置において変化するデータが、前記確定トリガ格納部に格納された前記確定トリガに合致するかを監視するステップと、
前記売買注文処理システムが、前記確定トリガに合致するかを監視するステップにおいて前記確定トリガの合致を検出すると、前記識別情報をキーに前記注文内容格納部に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納部に格納された前記確定トリガに対応する発注トリガを特定し、前記発注トリガに含まれる未確定の変数を確定した数値に更新する発注トリガの更新を実行するステップと、
前記売買注文処理システムが、前記時価格納装置において変化するデータが、前記発注トリガ格納部に格納された発注トリガに合致するかを監視するステップと、
前記売買注文処理システムが、前記発注トリガに合致するかを監視するステップにおいて前記発注トリガの合致を検出すると、前記識別情報をキーに前記注文内容格納部に格納された前記発注トリガに対応する注文内容を特定し、前記注文内容に含まれる注文条件に従った注文の執行指示を、前記商品にかかる取引市場システムに送信するステップと、
を有していて、
前記注文条件には指値注文の指値が、未確定の変数として前記売買注文の対象銘柄の前記取引市場における終値を基準に「終値＋ｘ」又は「終値−ｘ」（ｘは前記売買注文において指定可能な正数）と指定されていて、
前記発注トリガには前記売買注文の対象銘柄の指定価格が、未確定の変数として前記終値を基準に「終値＋ｙ」又は「終値−ｙ」（ｙは前記売買注文において指定可能な正数）と指定されていて、
前記確定トリガには前記終値が設定されており、
前記確定トリガを監視するステップでは、前記売買注文処理システムは前記時価格納装置において前記終値を監視し、
前記更新を実行するステップでは、前記売買注文処理システムは前記終値が確定すると前記時価格納装置から前記終値を取得して、前記指値及び前記指定価格を、前記終値を基準にした価格に更新すること
を特徴とする売買注文の処理方法。
【請求項６】
注文者から委託を受けた価格が変動する商品の売買注文を売買注文処理システムによって取引市場に発注する売買注文の処理方法であって、
前記売買注文処理システムが、前記注文者の操作する端末装置から、前記売買注文の執行について前記注文者から指定された注文条件を含む前記売買注文の注文内容を受け付けて、前記売買注文の識別情報と関連付けて注文内容格納部に格納するステップと、
前記売買注文処理システムが、前記売買注文を発注するために前記注文者から指定された発注条件を、前記売買注文の識別情報と関連付けて、発注トリガとして発注トリガ格納部に格納するステップと、
前記売買注文処理システムが、前記注文条件及び前記発注トリガに含まれる未確定の変数を確定するための確定条件を、前記売買注文の識別情報と関連付けて、確定トリガとして確定トリガ格納部に格納するステップと、
前記売買注文処理システムが、前記注文者の発注した売買注文の約定状況に関する取引情報を格納する取引情報格納装置において変化するデータが、前記確定トリガ格納部に格納された前記確定トリガに合致するかを監視するステップと、
前記売買注文処理システムが、前記確定トリガに合致するかを監視するステップにおいて前記確定トリガの合致を検出すると、前記識別情報をキーに前記注文内容格納部に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納部に格納された前記確定トリガに対応する発注トリガを特定し、前記発注トリガに含まれる未確定の変数を確定した数値に更新する発注トリガの更新を実行するステップと、
前記売買注文処理システムが、前記取引情報格納装置において変化するデータが、前記発注トリガ格納部に格納された発注トリガに合致するかを監視するステップと、
前記売買注文処理システムが、前記発注トリガに合致するかを監視するステップにおいて前記発注トリガの合致を検出すると、前記識別情報をキーに前記注文内容格納部に格納された前記発注トリガに対応する注文内容を特定し、前記注文内容に含まれる注文条件に従った注文の執行指示を、前記商品にかかる取引市場システムに送信するステップと、
を有していて、
前記注文条件には指値注文の指値が、未確定の変数として前記注文者からの第二の売買注文の約定価格を基準に「約定価格＋ｘ」又は「約定価格−ｘ」（ｘは前記売買注文において指定可能な正数）と指定されていて、
前記発注トリガには前記売買注文の対象銘柄の指定価格が、未確定の変数として前記約定価格を基準に「約定価格＋ｙ」又は「約定価格−ｙ」（ｙは前記売買注文において指定可能な正数）と指定されていて、
前記確定トリガには前記第二の売買注文の約定が設定されており、
前記確定トリガを監視するステップでは、前記売買注文処理システムは前記取引情報格納装置において前記第二の売買注文の約定状況を監視し、
前記更新を実行するステップでは、前記売買注文処理システムは前記第二の売買注文が約定すると前記取引情報格納装置から前記第二の売買注文の約定価格に関する情報を取得して、前記指値及び前記指定価格を、前記約定価格を基準にした価格に更新すること
を特徴とする売買注文の処理方法。
【手続補正２】
【補正対象書類名】明細書
【補正対象項目名】発明の名称
【補正方法】変更
【補正の内容】
【発明の名称】発注条件と注文内容を自動設定する売買注文処理システム及び売買注文の処理方法
【手続補正３】
【補正対象書類名】明細書
【補正対象項目名】００１４
【補正方法】変更
【補正の内容】
【００１４】
これらの課題を解決するために、本発明は、注文者から委託を受けた価格が変動する商品の売買注文を取引市場に発注するための売買注文処理システムであって、前記売買注文の執行について前記注文者から指定された注文条件を含む前記売買注文の注文内容を、前記売買注文の識別情報と関連付けて格納する注文内容格納手段と、前記売買注文を発注するために前記注文者から指定された発注条件を、前記売買注文の識別情報と関連付けて、発注トリガとして格納する発注トリガ格納手段と、前記注文条件及び前記発注トリガに含まれる未確定の変数を確定するための確定条件を、前記売買注文の識別情報と関連付けて、確定トリガとして格納する確定トリガ格納手段と、前記商品の時価に関する情報を格納する時価格納装置において変化するデータが、前記確定トリガ格納手段に格納された前記確定トリガに合致するかを監視する確定トリガ監視手段と、前記確定トリガ監視手段において前記確定トリガの合致を検出すると、前記識別情報をキーに前記注文内容格納手段に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納手段に格納された前記確定トリガに対応する発注トリガを特定し、前記発注トリガに含まれる未確定の変数を確定した数値に更新する発注トリガの更新を実行する条件更新手段と、前記時価格納装置において変化するデータが、前記発注トリガ格納手段に格納された発注トリガに合致するかを監視する発注トリガ監視手段と、前記発注トリガ監視手段において前記発注トリガの合致を検出すると、前記識別情報をキーに前記注文内容格納手段に格納された前記発注トリガに対応する注文内容を特定し、前記注文内容に含まれる注文条件に従った注文の執行指示を、前記商品にかかる取引市場システムに送信する注文執行手段と、を備えていて、前記注文条件には指値注文の指値が、未確定の変数として前記売買注文の対象銘柄の前記取引市場における始値を基準に「始値＋ｘ」又は「始値−ｘ」（ｘは前記売買注文において指定可能な正数）と指定されていて、前記発注トリガには前記売買注文の対象銘柄の指定価格が、未確定の変数として前記始値を基準に「始値＋ｙ」又は「始値−ｙ」（ｙは前記売買注文において指定可能な正数）と指定されていて、前記確定トリガには前記始値が設定されており、前記確定トリガ監視手段は、前記時価格納装置において前記始値を監視し、前記条件更新手段は、前記始値が確定すると前記時価格納装置から前記始値を取得して、前記指値及び前記指定価格を、前記始値を基準にした価格に更新することを特徴とする。
【手続補正４】
【補正対象書類名】明細書
【補正対象項目名】００２１
【補正方法】削除
【補正の内容】
【手続補正５】
【補正対象書類名】明細書
【補正対象項目名】００２４
【補正方法】変更
【補正の内容】
【００２４】
本発明は、注文者から委託を受けた価格が変動する商品の売買注文を取引市場に発注するための売買注文処理システムであって、前記売買注文の執行について前記注文者から指定された注文条件を含む前記売買注文の注文内容を、前記売買注文の識別情報と関連付けて格納する注文内容格納手段と、前記売買注文を発注するために前記注文者から指定された発注条件を、前記売買注文の識別情報と関連付けて、発注トリガとして格納する発注トリガ格納手段と、前記注文条件及び前記発注トリガに含まれる未確定の変数を確定するための確定条件を、前記売買注文の識別情報と関連付けて、確定トリガとして格納する確定トリガ格納手段と、前記商品の時価に関する情報を格納する時価格納装置において変化するデータが、前記確定トリガ格納手段に格納された前記確定トリガに合致するかを監視する確定トリガ監視手段と、前記確定トリガ監視手段において前記確定トリガの合致を検出すると、前記識別情報をキーに前記注文内容格納手段に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納手段に格納された前記確定トリガに対応する発注トリガを特定し、前記発注トリガに含まれる未確定の変数を確定した数値に更新する発注トリガの更新を実行する条件更新手段と、前記時価格納装置において変化するデータが、前記発注トリガ格納手段に格納された発注トリガに合致するかを監視する発注トリガ監視手段と、前記発注トリガ監視手段において前記発注トリガの合致を検出すると、前記識別情報をキーに前記注文内容格納手段に格納された前記発注トリガに対応する注文内容を特定し、前記注文内容に含まれる注文条件に従った注文の執行指示を、前記商品にかかる取引市場システムに送信する注文執行手段と、を備えていて、前記注文条件には指値注文の指値が、未確定の変数として前記売買注文の対象銘柄の前記取引市場における終値を基準に「終値＋ｘ」又は「終値−ｘ」（ｘは前記売買注文において指定可能な正数）と指定されていて、前記発注トリガには前記売買注文の対象銘柄の指定価格が、未確定の変数として前記終値を基準に「終値＋ｙ」又は「終値−ｙ」（ｙは前記売買注文において指定可能な正数）と指定されていて、前記確定トリガには前記終値が設定されており、前記確定トリガ監視手段は、前記時価格納装置において前記終値を監視し、前記条件更新手段は、前記終値が確定すると前記時価格納装置から前記終値を取得して、前記指値及び前記指定価格を、前記終値を基準にした価格に更新することを特徴とする。
【手続補正６】
【補正対象書類名】明細書
【補正対象項目名】００２９
【補正方法】変更
【補正の内容】
【００２９】
本発明は、注文者から委託を受けた価格が変動する商品の売買注文を取引市場に発注するための売買注文処理システムであって、前記売買注文の執行について前記注文者から指定された注文条件を含む前記売買注文の注文内容を、前記売買注文の識別情報と関連付けて格納する注文内容格納手段と、前記売買注文を発注するために前記注文者から指定された発注条件を、前記売買注文の識別情報と関連付けて、発注トリガとして格納する発注トリガ格納手段と、前記注文条件及び前記発注トリガに含まれる未確定の変数を確定するための確定条件を、前記売買注文の識別情報と関連付けて、確定トリガとして格納する確定トリガ格納手段と、前記注文者の発注した売買注文の約定状況に関する取引情報を格納する取引情報格納装置において変化するデータが、前記確定トリガ格納手段に格納された前記確定トリガに合致するかを監視する確定トリガ監視手段と、前記確定トリガ監視手段において前記確定トリガの合致を検出すると、前記識別情報をキーに前記注文内容格納手段に格納された前記確定トリガに対応する注文内容を特定し、前記注文内容に含まれる注文条件に含まれる未確定の変数を確定した数値に更新する注文条件の更新、及び前記識別情報をキーに前記発注トリガ格納手段に格納された前記確定トリガに対応する発注トリガを特定し、前記発注トリガに含まれる未確定の変数を確定した数値に更新する発注トリガの更新を実行する条件更新手段と、前記取引情報格納装置において変化するデータが、前記発注トリガ格納手段に格納された発注トリガに合致するかを監視する発注トリガ監視手段と、前記発注トリガ監視手段において前記発注トリガの合致を検出すると、前記識別情報をキーに前記注文内容格納手段に格納された前記発注トリガに対応する注文内容を特定し、前記注文内容に含まれる注文条件に従った注文の執行指示を、前記商品にかかる取引市場システムに送信する注文執行手段と、を備えていて、前記注文条件には指値注文の指値が、未確定の変数として前記注文者からの第二の売買注文の約定価格を基準に「約定価格＋ｘ」又は「約定価格−ｘ」（ｘは前記売買注文において指定可能な正数）と指定されていて、前記発注トリガには前記売買注文の対象銘柄の指定価格が、未確定の変数として前記約定価格を基準に「約定価格＋ｙ」又は「約定価格−ｙ」（ｙは前記売買注文において指定可能な正数）と指定されていて、前記確定トリガには前記第二の売買注文の約定が設定されており、前記確定トリガ監視手段は、前記取引情報格納装置において前記第二の売買注文の約定状況を監視し、前記条件更新手段は、前記第二の売買注文が約定すると前記取引情報格納装置から前記第二の売買注文の約定価格に関する情報を取得して、前記指値及び前記指定価格を、前記約定価格を基準にした価格に更新することを特徴とする。
【手続補正７】
【補正対象書類名】明細書
【補正対象項目名】００５１
【補正方法】変更
【補正の内容】
【００５１】
図６では、本発明にかかるシステムにより「終値−１０円になれば、終値−２０円の売り注文」という注文を行った場合の例を示している。ここでは、前日終値は５０５円に対して「４９５円になれば、４８５円の売り注文」の条件注文が発注されているので、図５の例と同様に当日の始値が急落して４９０円を付けたとすると、上記の注文が自動的に発注される。その後は４８５円になった段階で売り注文が約定する。